(57)【特許請求の範囲】
【請求項１】
複数台のオフライン測定装置の夫々が各々のオフライン測定装置を特定する情報および当該オフライン測定装置による測定結果の情報を二次元バーコードに変換して当該変換された二次元バーコードで各オフライン測定装置を特定する情報および当該オフライン測定装置による測定結果の情報を表示し、
前記各オフライン測定装置の前記二次元バーコードでの表示をカメラ付き携帯電話のカメラで読み取った前記オフライン測定装置を特定する情報および前記オフライン測定結果の情報と、前記携帯電話の内部時計の時刻情報に基づく測定時刻の情報とを前記携帯電話で指定の保存先に保存し、
前記保存先に保存の前記オフライン測定装置を特定する情報および前記オフライン測定結果の情報を、表示手段により前記測定時刻情報と共に表示する
測定表示現場読み取り業務支援方法。
【請求項２】
夫々がオフライン測定装置を特定する情報およびオフライン測定結果の情報を二次元バーコードに変換して当該変換された二次元バーコードでオフライン測定装置を特定する情報およびオフライン測定結果の情報を表示する複数台のオフライン測定装置、
および前記各オフライン測定装置の前記二次元バーコードでの表示をカメラ付き携帯電話のカメラで読み取った前記オフライン測定装置を特定する情報および前記オフライン測定結果の情報と前記携帯電話の内部時計の時刻情報に基づく測定時刻の情報とを保存する記憶装置を備え、
前記記憶装置に保存された前記オフライン測定装置を特定する情報および前記オフライン測定結果の情報を前記測定時刻情報と共に表示する
測定表示現場読み取り業務支援システム。
【請求項３】
請求項２に記載の測定表示現場読み取り業務支援システムにおいて、
各オフライン測定装置の前記二次元バーコードでの表示を読み取った携帯電話の電話番号を前記記憶装置に保存すると共に、
前記記憶装置に保存された電話番号から当該携帯電話を所有する作業員を特定し、その作業員の名前を、当該携帯電話で読み取った前記オフライン測定装置を特定する情報およびオフライン測定結果の情報と関連付けて前記記憶装置に保存する
ことを特徴とする測定表示現場読み取り業務支援システム。
【請求項４】
請求項２または請求項３に記載の測定表示現場読み取り業務支援システムにおいて、
各オフライン測定装置の読み取り順序を前記記憶装置に予め登録し、
前記各オフライン測定装置の実際の読み取り順序が、前記記憶装置に予め登録の読み取り順序と異なる場合に、その旨を報知する
ことを特徴とする測定表示現場読み取り業務支援システム。
【請求項５】
請求項２〜請求項４の何れか一に記載の測定表示現場読み取り業務支援システムにおいて、
複数台のオフライン測定装置に共通の測定結果表示装置を設け、
この共通の測定結果表示装置に、前記複数台の各オフライン測定装置を特定する情報および前記各オフライン測定結果の情報を表示する
ことを特徴とする測定表示現場読み取り業務支援システム。
【請求項６】
請求項２〜請求項５の何れか一に記載の測定表示現場読み取り業務支援システムにおいて、
前記携帯電話に代えて携帯端末が使用され、
前記各オフライン測定装置の前記二次元バーコードでの表示をカメラ付き携帯端末のカメラで読み取ったオフライン測定装置を特定する情報およびオフライン測定結果の情報を通信ケーブルを介して前記記憶装置に保存する
ことを特徴とする測定表示現場読み取り業務支援システム。
【請求項７】
請求項２〜請求項５の何れか一に記載の測定表示現場読み取り業務支援システムにおいて、
前記カメラ付き携帯電話のカメラで読み取ったオフライン測定装置を特定する情報およびオフライン測定結果の情報を保存する前記記憶装置が、前記カメラ付き携帯電話のカメラで読み取ったオフライン測定装置を特定する情報およびオフライン測定結果の情報を受ける側の携帯電話の記憶装置であり、
前記オフライン測定装置を特定する情報およびオフライン測定結果の情報を受ける側の携帯電話の記憶装置に保存された情報が、当該情報を受ける側の携帯電話の表示装置に表示される
ことを特徴とする測定表示現場読み取り業務支援システム。
【発明の詳細な説明】
【技術分野】
【０００１】
この発明は、オンライン化されていないオフライン測定装置の測定結果を記録するため、定期的に作業員がオフライン測定装置設置の現場へ赴き、測定装置の測定値等の測定表示を記録し報告書にまとめるといった測定分野における通称「現場読み取り業務」を支援する方法およびシステム、つまり測定表示現場読み取り業務支援方法およびシステムに関するものである。
【背景技術】
【０００２】
図１１は従来の測定表示現場読み取り業務の業務形態および業務支援システムを概略的に示す概略図である。
【０００３】
従来の測定表示現場読み取り業務は、図１１に示すように、現場（ａ）に設置された測定装置１１・・・１ｉの測定値を定期的に目視で読み取り記録する作業員２が、当該目視で確認の測定値を入力して一次的に保存した端末３を事務所（ｂ）に持ち帰り、事務所（ｂ）に設置のサーバ４に、前記持ち帰った端末３に一次的に保存されている測定装置１１・・・１ｉの測定値を有線あるいは無線で転送し、前記持ち帰った端末３に一次的に保存されている測定装置１１・・・１ｉの測定値を記憶装置５に保存し、この記憶装置５に保存されたデータを基に前記サーバ４により所定フォーマットの報告書６を出力することにより行われる。
【０００４】
【特許文献１】特開２００２−１４０６６０号公報（段落番号０００７、図１およびその説明）
【発明の開示】
【発明が解決しようとする課題】
【０００５】
図１１からも分かるように、作業員２は、事務所（ｂ）から現場(ａ)までの移動、ならびに各測定装置１１・・・１ｉ間の移動の際、常に端末３を持って歩く必要がある。端末３は重いため、作業員２の業務負担は重い。
【０００６】
また、各測定装置１１・・・１ｉからの各測定値の読み取りは、作業員２の目視に頼っており、読み取りを誤まる恐れがある。
【０００７】
また、測定値の端末への入力は、作業員２による手入力に頼っており、入力を誤まる恐れがある。
【０００８】
このようなことから、測定値等の測定表示の現場読み取り業務においては、測定データの信頼性、報告書の信頼性、等を向上させるためにも、いかに作業員の手作業に依存する業務を減らし自動化するかが大事な課題となる。
【０００９】
この発明は、前述のような従来の実情に鑑みてなされたもので、信頼性の高い測定表示現場読み取り業務を実現することを目的とするものである。
【課題を解決するための手段】
【００１０】
この発明に係る測定表示現場読み取り業務支援方法は、オンライン化されていないオフライン測定装置の測定結果を記録するため、定期的に作業員がオフライン測定装置設置の現場へ赴き、測定装置の測定値等の測定表示を記録し報告書にまとめるといった測定分野における通称「現場読み取り業務」を支援する方法において、複数台のオフライン測定装置の夫々が各々のオフライン測定装置を特定する情報および当該オフライン測定装置による測定結果の情報を二次元バーコードに変換して当該変換された二次元バーコードで各オフライン測定装置を特定する情報および当該オフライン測定装置による測定結果の情報を表示し、前記各オフライン測定装置の前記二次元バーコードでの表示をカメラ付き携帯電話のカメラで読み取った前記オフライン測定装置を特定する情報および前記オフライン測定結果の情報と、前記携帯電話の内部時計の時刻情報に基づく測定時刻の情報とを前記携帯電話で指定の保存先に保存し、前記保存先に保存の前記オフライン測定装置を特定する情報および前記オフライン測定結果の情報を、表示手段により前記測定時刻情報と共に表示する測定表示現場読み取り業務支援方法としたものである。
【００１１】
また、この発明に係る測定表示現場読み取り業務支援システムは、オンライン化されていないオフライン測定装置の測定結果を記録するため、定期的に作業員がオフライン測定装置設置の現場へ赴き、測定装置の測定値等の測定表示を記録し報告書にまとめるといった測定分野における通称「現場読み取り業務」を支援するシステムにおいて、夫々がオフライン測定装置を特定する情報およびオフライン測定結果の情報を二次元バーコードに変換して当該変換された二次元バーコードでオフライン測定装置を特定する情報およびオフライン測定結果の情報を表示する複数台のオフライン測定装置、および前記各オフライン測定装置の前記二次元バーコードでの表示をカメラ付き携帯電話のカメラで読み取った前記オフライン測定装置を特定する情報および前記オフライン測定結果の情報と前記携帯電話の内部時計の時刻情報に基づく測定時刻の情報とを保存する記憶装置を備え、前記記憶装置に保存された前記オフライン測定装置を特定する情報および前記オフライン測定結果の情報を前記測定時刻情報と共に表示する測定表示現場読み取り業務支援システムとしたものである。
【発明の効果】
【００１２】
この発明は、オンライン化されていないオフライン測定装置の測定結果を記録するため、定期的に作業員がオフライン測定装置設置の現場へ赴き、測定装置の測定値等の測定表示を記録し報告書にまとめるといった測定分野における通称「現場読み取り業務」を支援する方法において、複数台のオフライン測定装置の夫々が各々のオフライン測定装置を特定する情報および当該オフライン測定装置による測定結果の情報を二次元バーコードに変換して当該変換された二次元バーコードで各オフライン測定装置を特定する情報および当該オフライン測定装置による測定結果の情報を表示し、前記各オフライン測定装置の前記二次元バーコードでの表示をカメラ付き携帯電話のカメラで読み取った前記オフライン測定装置を特定する情報および前記オフライン測定結果の情報と、前記携帯電話の内部時計の時刻情報に基づく測定時刻の情報とを前記携帯電話で指定の保存先に保存し、前記保存先に保存の前記オフライン測定装置を特定する情報および前記オフライン測定結果の情報を、表示手段により前記測定時刻情報と共に表示するようにしたので、端末を使うのでなく携帯電話を使った測定表示現場読み取り業務支援方法を実現でき、オフライン測定装置側での現場作業員による測定関連情報の手入力が軽減され、信頼性の高い測定表示現場読み取り業務を実現することができる効果がある。
【００１３】
また、この発明は、オンライン化されていないオフライン測定装置の測定結果を記録するため、定期的に作業員がオフライン測定装置設置の現場へ赴き、測定装置の測定値等の測定表示を記録し報告書にまとめるといった測定分野における通称「現場読み取り業務」を支援するシステムにおいて、夫々がオフライン測定装置を特定する情報およびオフライン測定結果の情報を二次元バーコードに変換して当該変換された二次元バーコードでオフライン測定装置を特定する情報およびオフライン測定結果の情報を表示する複数台のオフライン測定装置、および前記各オフライン測定装置の前記二次元バーコードでの表示をカメラ付き携帯電話のカメラで読み取った前記オフライン測定装置を特定する情報および前記オフライン測定結果の情報と前記携帯電話の内部時計の時刻情報に基づく測定時刻の情報とを保存する記憶装置を備え、前記記憶装置に保存された前記オフライン測定装置を特定する情報および前記オフライン測定結果の情報を前記測定時刻情報と共に表示する測定表示現場読み取り業務支援システムとしたので、端末を使うのでなく携帯電話を使った測定表示現場読み取り業務支援システムを実現でき、オフライン測定装置側での現場作業員による測定関連情報の手入力が軽減され、信頼性の高い測定表示現場読み取り業務を実現することができる具体的な測定表示現場読み取り業務支援システムを実現できる効果がある。
【発明を実施するための最良の形態】
【００１４】
実施の形態１．
以下この発明の実施の形態１を図１〜図３により説明する。図１は測定表示現場読み取り業務支援方法および業務支援システムの一例を概略的に示す概略図、図２は測定表示現場読み取り業務支援方法および業務支援システムの具体的な事例を示すブロック図、図３は図２に例示の測定表示現場読み取り業務支援方法および業務支援システムの動作をフローチャートで説明する動作説明図である。なお、各図中、同一符合は同一部分を示す。
【００１５】
この発明の実施の形態１における測定表示現場読み取り業務は、図１に示すように、現場（ａ）に設置されたオフライン測定装置１１・・・１ｉの測定値を定期的に読み取り記録する作業員２が、自己の所有するカメラ付き携帯電話７をトリガ（カメラ撮影操作）し、該カメラ付き携帯電話７のカメラで、前記各オフライン測定装置１１・・・１ｉに各自のオフライン測定装置を特定する情報および各自の測定結果の情報を二次元バーコード表示された測定表示を各オフライン測定装置１１・・・１ｉ毎に読み取り、カメラ付き携帯電話７に一時的に保存された各オフライン測定装置１１・・・１ｉを特定する情報および各測定結果の情報を、作業員２が当該カメラ付き携帯電話７で測定し、事務所（ｂ）に設置のサーバ４を指定して当該サーバ４にカメラ付き携帯電話７の無線回線を介して送信し、前記サーバ４側では、カメラ付き携帯電話７から指定して送信された各オフライン測定装置を特定する情報、各オフライン測定装置の測定結果の情報、および各オフライン測定装置の測定表示をカメラで読み取った読取時刻の情報を、記憶装置５に保存し、この記憶装置５に保存されたデータを基に前記サーバ４により所定フォーマットの報告書６を出力することにより行われる。
【００１６】
前記オフライン測定装置１１・・・１ｉ、前記サーバ４、および前記カメラ付き携帯電話７の具体的な内部機能構成は、図２に示してある。
【００１７】
即ち、図２に示すように、前記各オフライン測定装置１１・・・１ｉは、何れも、測定器１０１、測定装置識別コード１０２、データ変換部１０３、及び二次元バーコード表示部１０４を有している。
【００１８】
前記カメラ付き携帯電話７は、図２に示してあるように、カメラ１０５、データ読み取り部１０６、時計１０７、アプリケーション１０８、データ送受信部１０９、およびアンテナ１１０を有している。
【００１９】
前記サーバ４は、図２に示してあるように、アンテナ１１１、データ送受信部１１２、アプリケーション１１３、データ保存部１１４、識別コード−測定器対応表１１５、表示手段の一つである表示装置１１６、および表示手段の一つである印刷装置１１７を有している。
【００２０】
なお、前記測定器１０１は、温度・湿度・放射線等の被測定量を測定する測定器である。
前記測定装置識別コード１０２は、前記各オフライン測定装置１１・・・１ｉに個別に割り振られた測定装置識別コードであり、オフライン測定装置１１・・・１ｉの各々を特定する情報である。
前記データ変換部１０３は、前記測定器１０１が測定した測定値等の測定結果の情報と前記オフライン測定装置１１・・・１ｉの各々を特定する情報である測定装置識別コードとを二次元バーコードに変換する機能を有している。
前記二次元バーコード表示部１０４は、前記データ変換部１０３で変換された前記オフライン測定装置１１・・・１ｉの各々を特定する情報および前記オフライン測定装置１１・・・１ｉの各々の測定結果の情報を二次元バーコードで表示する機能を有している。
【００２１】
前記カメラ１０５は、携帯電話７に組み込まれたカメラである。
前記データ読み取り部１０６は、前記カメラ１０５で二次元バーコード表示部１０４を捕らえた際に、測定値等の測定結果の情報と測定装置識別番号等の測定装置１１・・・１ｉの各々を特定する情報とを読み出すデータ読み取り機能を有している。
前記時計１０７は、前記現場作業員が所持している携帯電話７に内蔵の時計である。
前記アプリケーション１０８は、前記データ読み取り部１０６を制御することにより測定値等の測定結果の情報と測定器識別コード等の測定装置１１・・・１ｉの各々を特定する情報と前記内蔵時計１０７に基づく測定時刻（カメラ１０５での読み取り時刻等）の情報とを取り込む機能を有している。なお、前記アプリケーション１０８により取り込まれた測定値等の測定結果の情報と測定器識別コード等の測定装置１１・・・１ｉの各々を特定する情報と前記内蔵時計１０７に基づく測定時刻（カメラ１０５での読み取り時刻等）の情報は、前記各測定装置１１・・・１ｉ毎に識別できるように関連付けてデータ保存部等の携帯電話７内の記憶装置（図示省略）に一時的に保存される。
前記データ送受信部１０９は、前記アプリケーション１０８からの測定値等の測定結果の情報と測定器識別コード等の測定装置１１・・・１ｉの各々を特定する情報と前記内蔵時計１０７に基づく測定時刻（カメラ１０５での読み取り時刻等）の情報とを電波で送信する機能を有している。
前記アンテナ１１０は、前記携帯電話７のアンテナである。
【００２２】
前記アンテナ１１１は、前記サーバ４に取り付けた携帯電話のアンテナである。
前記データ送受信部１１２は、前記サーバ４に取り付けた携帯電話のデータ送受信部である。
前記アプリケーション１１３は、前記データ送受信部１１２から受け取った測定値等の測定結果の情報と測定器識別コード等の測定装置１１・・・１ｉの各々を特定する情報と前記内蔵時計１０７に基づく測定時刻（カメラ１０５での読み取り時刻等）の情報を記憶装置である前記データ保存部１１４に保存し表示・印刷する機能を有している。
前記識別コード−測定器対応表１１５は、測定装置識別コードから測定装置を特定するための識別コード−測定器対応表である。
表示手段の一つである前記表示装置１１６は、前記データ保存部１１４に保存されているデータを表示する表示装置である。
表示手段の一つである前記印刷装置１１７は、前記データ保存部１１４に保存されているデータを編集し所定フォーマットに帳票印刷する印刷装置である。
【００２３】
次に図２に示す事例の動作を、図３により、前記オフライン測定装置１１・・・１ｉの動作（ｄ）、前記携帯電話７の操作（ｅ）、及び前記サーバ４の動作（ｆ）について、順に説明する。
【００２４】
オフライン測定装置１１・・・１ｉの動作（ｄ）．
オフライン測定装置１１・・・１ｉは、測定対象の温度、圧力、放射線等を計測し、その測定値に各測定器個別の識別コードを付加した情報を二次元バーコード表示部１０４に表示する。この二次元バーコードはその測定値の変化を反映し、定期的に更新される。
【００２５】
携帯電話７の操作（ｅ）．
携帯電話７のアプリケーション１０８により、カメラ１０５で２次元バーコード表示部１０４の情報を読み取り、測定値と測定装置の識別コードを携帯電話７に取り込む。更に、携帯電話７の内部時計１０７の時刻情報を付加し、測定値と測定装置１ｉの識別コードと測定時刻の情報を携帯電話７のデータ通信機能を用いてサーバ４へ送信する。
【００２６】
サーバ４の動作（ｆ）．
サーバ４のアプリケーション１１３により携帯電話７から受信した測定値、測定器識別コード、測定時刻のデータは、データ保存部１１４に保存される。操作者の操作により、データ保存部１１４の情報を検索し、表示装置１１６に表示する。その際、測定器識別コードで識別コード測定器対応表１１５を参照し、測定装置１ｉに関する情報を付加して表示装置１１６に表示する。
【００２７】
また、同様の情報を所定フォーマットの帳票形式に編集し、印刷装置１１７にも出力する。
【００２８】
この発明の実施形態１では、各オフライン測定装置１１・・・１ｉの特定から測定対象の測定、記録まで自動であり、各オフライン測定装置１１・・・１ｉ側の測定表示現場読み取り作業員は、現場で携帯電話のトリガ（カメラ撮影操作）操作だけでよい。しかも作業員が持ち運ぶ機器はカメラ付き携帯電話のみとなる。従って、作業員の負担軽減と作業時間の短縮と記録データの品質向上を実現できる。
【００２９】
前述のように、この発明の実施形態１では、前記オフライン測定装置１１・・・１ｉ側で、各オフライン測定装置１１・・・１ｉを特定する情報および当該オフライン測定装置１１・・・１ｉによる測定結果の情報を二次元バーコードに変換して当該変換された二次元バーコードで各オフライン測定装置１１・・・１ｉを特定する情報および当該各オフライン測定装置１１・・・１ｉによる測定結果の情報を二次元バーコード表示部１０４で表示し、前記各オフライン測定装置１１・・・１ｉの前記二次元バーコードでの表示をカメラ付き携帯電話７のカメラ１０５で読み取ったオフライン測定装置１１・・・１ｉの各々を特定する情報およびオフライン測定結果の情報を携帯電話７で指定の保存先（サーバ４等）に保存し、前記保存先に保存のオフライン測定装置を特定する情報およびオフライン測定結果の情報を、表示手段（表示装置１１６や印刷装置１１７など）により時刻情報と共に表示する測定表示現場読み取り業務支援方法としたので、オフライン測定装置側での現場作業員による測定関連情報の手入力が軽減され、信頼性の高い測定表示現場読み取り業務を実現することができる。
【００３０】
また、前述のように、この発明の実施形態１は、オフライン測定装置１１・・・１ｉの各々を特定する情報およびオフライン測定結果の情報を二次元バーコードに変換して当該変換された二次元バーコードで各オフライン測定装置１１・・・１ｉを特定する情報およびオフライン測定結果の情報を二次元バーコード表示部１０４で表示する複数台のオフライン測定装置１１・・・１ｉ、および前記各オフライン測定装置１１・・・１ｉの前記二次元バーコードでの表示（二次元バーコード表示部１０４の表示）をカメラ付き携帯電話７のカメラ１０５で読み取ったオフライン測定装置１１・・・１ｉを特定する情報およびオフライン測定結果の情報を保存する記憶装置（データ保存部１１４等）を備え、前記記憶装置に保存されたオフライン測定装置１１・・・１ｉを特定する情報およびオフライン測定結果の情報を時刻情報と共に表示手段（表示装置１１６や印刷装置１１７など）に表示する測定表示現場読み取り業務支援システムであるので、オフライン測定装置１１・・・１ｉ側での現場作業員による測定関連情報の手入力が軽減され、信頼性の高い測定表示現場読み取り業務を実現することができる具体的な測定表示現場読み取り業務支援システムを実現できる。
【００３１】
実施の形態２．
以下この発明の実施の形態２を図４および図５により説明する。図４は測定表示現場読み取り業務支援方法および業務支援システムの具体的な他の事例を示すブロック図、図５は図４に例示の測定表示現場読み取り業務支援方法および業務支援システムの動作をフローチャートで説明する動作説明図である。なお、図４および図５において前述の図１〜図３と同一または相当部分には同一符号を付し、以下のこの発明の実施の形態２の説明では、前述のこの発明の実施の形態１と異なる点を主体に説明し、図１〜図３と同一または相当部分についての説明は割愛する。
【００３２】
この発明の実施の形態２では、図４に示すように、各オフライン測定装置１１・・・１ｉは、何れも、図２と同じである。
【００３３】
カメラ付き携帯電話７は、カメラ１０５、データ読み取り部１０６、時計１０７、アプリケーション１０８、データ送受信部１０９、アンテナ１１０、及び電話番号１１８を有している。
【００３４】
前記サーバ４は、アンテナ１１１、データ送受信部１１２、アプリケーション１１３、データ保存部１１４、識別コード−測定器対応表１１５、表示手段の一つである表示装置１１６、表示手段の一つである印刷装置１１７、および電話番号作業員名対応表１１９を有している。
【００３５】
なお、前記電話番号１１８は携帯電話７固有の電話番号である。
また、前記電話番号作業員名対応表１１９はかかってきた携帯電話の電話番号からその携帯電話の操作者を特定するための対応表である。
前記データ送受信部１０９は、前記アプリケーション１０８からの測定値等の測定結果の情報と測定器識別コード等の測定装置１１・・・１ｉの各々を特定する情報と前記内蔵時計１０７に基づく測定時刻（カメラ１０５での読み取り時刻等）の情報と電話番号１１８とを電波で送信する機能を有している。
前記アプリケーション１１３は、前記データ送受信部１１２から受け取った測定値等の測定結果の情報と測定器識別コード等の測定装置１１・・・１ｉの各々を特定する情報と前記内蔵時計１０７に基づく測定時刻（カメラ１０５での読み取り時刻等）の情報とかかってきた携帯電話の電話番号１１８を記憶装置である前記データ保存部１１４に保存し表示・印刷する機能を有している。
【００３６】
次に図４に示す事例の動作を、図５により、前記オフライン測定装置１１・・・１ｉの動作（ｄ）、前記携帯電話７の操作（ｅ）、及び前記サーバ４の動作（ｆ）について、順に説明する。
【００３７】
オフライン測定装置１１・・・１ｉの動作（ｄ）．
オフライン測定装置１１・・・１ｉは、測定対象の温度、圧力、放射線等を計測し、その測定値に各測定器個別の識別コードを付加した情報を二次元バーコード表示部１０４に表示する。この二次元バーコードはその測定値の変化を反映し、定期的に更新される。
【００３８】
携帯電話７の操作（ｅ）．
携帯電話７のアプリケーション１０８により、カメラ１０５で２次元バーコード表示部１０４の情報を読み取り、測定値と測定装置の識別コードを携帯電話７に取り込む。更に、携帯電話の内部時計１０７の時刻情報と電話番号１１８を付加し、測定値と測定装置１ｉの識別コードと測定時刻の情報と電話番号１１８の情報を携帯電話７のデータ通信機能を用いてサーバ４へ送信する。
【００３９】
サーバ４の動作（ｆ）．
サーバ４のアプリケーション１１３により携帯電話７から受信した測定値、測定器識別コード、測定時刻のデータは、データ保存部１１４に保存される。操作者の操作により、データ保存部１１４の情報を検索し、表示装置１１６に表示する。その際、測定器識別コードで識別コード測定器対応表１１５を参照し、測定装置１ｉに関する情報を付加するとともに、電話番号作業員対応表１１９を参照し、測定を実施した作業員名も表示装置１１６に表示する。
【００４０】
また、同様の情報を所定フォーマットの帳票形式に編集し、印刷装置１１７にも出力する。
【００４１】
この発明の実施形態２では、前述のように、測定に使用した携帯電話の電話番号から作業者を特定して記録することにより、測定業務のトレーサビリティが向上する。
【００４２】
前述のように、この発明の実施形態２は、オフライン測定装置１１・・・１ｉの各々を特定する情報およびオフライン測定結果の情報を二次元バーコードに変換して当該変換された二次元バーコードで各オフライン測定装置１１・・・１ｉを特定する情報およびオフライン測定結果の情報を二次元バーコード表示部１０４で表示する複数台のオフライン測定装置１１・・・１ｉ、および前記各オフライン測定装置１１・・・１ｉの前記二次元バーコードでの表示（二次元バーコード表示部１０４の表示）をカメラ付き携帯電話７のカメラ１０５で読み取ったオフライン測定装置１１・・・１ｉを特定する情報およびオフライン測定結果の情報を保存する記憶装置（データ保存部１１４等）を備え、前記記憶装置に保存されたオフライン測定装置１１・・・１ｉを特定する情報およびオフライン測定結果の情報を時刻情報と共に表示手段（表示装置１１６や印刷装置１１７など）に表示する測定表示現場読み取り業務支援システムであり、更に、各オフライン測定装置の前記二次元バーコードでの表示を読み取った携帯電話の電話番号を前記記憶装置に保存すると共に、前記記憶装置に保存された電話番号から当該携帯電話を所有する作業員を特定し、その作業員の名前を、当該携帯電話で読み取った前記オフライン測定装置を特定する情報およびオフライン測定結果の情報と関連付けて前記記憶装置に保存する測定表示現場読み取り業務支援システムとしたので、オフライン測定装置１１・・・１ｉ側での現場作業員による測定関連情報の手入力が軽減され、信頼性の高い測定表示現場読み取り業務を実現することができる具体的な測定表示現場読み取り業務支援システムを実現でき、更に、測定に使用した携帯電話の電話番号から作業者を特定して記録することにより、測定業務のトレーサビリティが向上する。
【００４３】
実施の形態３．
以下、この発明の実施の形態３を図６および図７により説明する。図６は測定表示現場読み取り業務支援方法および業務支援システムの具体的な他の事例を示すブロック図、図７は図６に例示の測定表示現場読み取り業務支援方法および業務支援システムの動作をフローチャートで説明する動作説明図である。なお、図６および図７において前述の図１〜図５と同一または相当部分には同一符号を付し、以下のこの発明の実施の形態３の説明では、前述のこの発明の実施の形態１および２と異なる点を主体に説明し、図１〜図５と同一または相当部分についての説明は割愛する。
【００４４】
この発明の実施の形態３では、図６に示すように、各オフライン測定装置１１・・・１ｉは、何れも、図２と同じである。
【００４５】
カメラ付き携帯電話７は、カメラ１０５、データ読み取り部１０６、時計１０７、アプリケーション１０８、データ送受信部１０９、アンテナ１１０、読取順序テーブル１２０、及びデータ表示部１２１を有している。
【００４６】
前記読取順序テーブル１２０は、オフライン測定装置１１・・・１ｉの予め定められた読取順序（測定すべき順序と同じ場合もある）を測定器識別コードの羅列で持つ読取順序テーブルである。
前期データ表示部１２１は、前記アプリケーション１０８が作業員２にメッセージを通知する為のデータ表示部である。
前記アプリケーション１０８では、前記データ読み取り部１０６を制御することにより測定値と測定器識別コードと測定時刻を取り込むとともに、前記読取順序テーブル１２０に登録された予め定められた読取順序と実際に前記携帯電話７のカメラ１０５から読み込まれた測定器識別コードの実入力順序とが一致しているかどうか確認して、その結果を前記データ表示部１２１に表示し、各オフライン測定装置１１・・・１ｉの測定表示をカメラ付き携帯電話７のカメラ１０５で読み込んでいる作業員２にメッセージとして通知する。
【００４７】
次に図６に示す事例の動作を、図７により、前記オフライン測定装置１１・・・１ｉの動作（ｄ）、及び前記携帯電話７の操作（ｅ）について、順に説明する。
【００４８】
オフライン測定装置１１・・・１ｉの動作（ｄ）．
オフライン測定装置１１・・・１ｉは測定対象の温度、圧力、放射線等を計測し、その測定値に各測定器個別の識別コードを付加した情報を二次元バーコード表示部１０４に表示する。この二次元バーコードはその測定値の変化を反映し、定期的に更新される。
【００４９】
携帯電話７の操作（ｅ）．
携帯電話７のアプリケーション１０８により、カメラ１０５で２次元バーコード表示部１０４の情報を読み取り、測定値と測定装置識別コードを携帯電話７に取り込む。アプリケーション１０８は、携帯電話７のカメラ１０５で取り込んだ測定装置識別コードと前記読取順序テーブル１２０に登録された予め定められた読取順序とを照合する。携帯電話７のカメラ１０５で取り込んだ順序が、前記読取順序テーブル１２０に登録された予め定められた読取順序と異なっていた場合、データ表示部１２１に読取順序が誤っている旨表示し、作業員２へ通知する。
【００５０】
なお、この発明の実施の形態３では、この発明の実施の形態１および２で前述したサーバ４は図示省略してある。
【００５１】
前述のように、この発明の実施形態３では、オフライン測定装置１１・・・１ｉをカメラ付き携帯電話で読み取る順序を、予め設定した読取順序と異なる順序に誤まった際、その場で、読取に使用している携帯電話７上で作業員に通知されるため、無駄作業を削減できる。また、オフライン測定装置１１・・・１ｉの読み取り漏れも防止できる。
【００５２】
前述のように、この発明の実施形態３は、オフライン測定装置１１・・・１ｉの各々を特定する情報およびオフライン測定結果の情報を二次元バーコードに変換して当該変換された二次元バーコードで各オフライン測定装置１１・・・１ｉを特定する情報およびオフライン測定結果の情報を二次元バーコード表示部１０４で表示する複数台のオフライン測定装置１１・・・１ｉ、および前記各オフライン測定装置１１・・・１ｉの前記二次元バーコードでの表示（二次元バーコード表示部１０４の表示）をカメラ付き携帯電話７のカメラ１０５で読み取ったオフライン測定装置１１・・・１ｉを特定する情報およびオフライン測定結果の情報を保存する記憶装置（データ保存部１１４等）を備え、前記記憶装置に保存されたオフライン測定装置１１・・・１ｉを特定する情報およびオフライン測定結果の情報を時刻情報と共に表示手段（表示装置１１６や印刷装置１１７など）に表示する測定表示現場読み取り業務支援システムであり、更に、前記各オフライン測定装置１１・・・１ｉの読み取り順序を前記記憶装置（データ保存部１１４等）に予め登録し、前記各オフライン測定装置１１・・・１ｉ（データ保存部１１４等）の実際の読み取り順序が、前記記憶装置に予め登録の読み取り順序と異なる場合に、その旨をカメラ付き携帯電話７が報知することを特徴とする測定表示現場読み取り業務支援システム測定表示現場読み取り業務支援システムとしたので、オフライン測定装置１１・・・１ｉ側での現場作業員による測定関連情報の手入力が軽減され、信頼性の高い測定表示現場読み取り業務を実現することができる具体的な測定表示現場読み取り業務支援システムを実現でき、更に、オフライン測定装置１１・・・１ｉをカメラ付き携帯電話で読み取る順序を、予め設定した読取順序と異なる順序に誤まった際、その場で、読取に使用している携帯電話７上等で作業員に通知されるため、無駄作業を削減でき、また、オフライン測定装置１１・・・１ｉの読み取り漏れも防止できる。
【００５３】
実施の形態４．
以下、この発明の実施の形態４を図８により説明する。図８は測定表示現場読み取り業務支援方法および業務支援システムの具体的な事例を示すブロック図である。なお、図８において前述の図１〜図７と同一または相当部分には同一符号を付し、以下のこの発明の実施の形態４の説明では、前述のこの発明の実施の形態１〜３と異なる点を主体に説明し、図１〜図７と同一または相当部分についての説明は割愛する。
【００５４】
この発明の実施の形態４では、図８に示すように、温度・湿度・放射線等を測定する測定器１０１１〜１０１ｉが組み込まれたオフライン測定装置１１・・・１ｉの各々に共通の測定値表示装置８が設けられており、この測定値表示装置８は、前記オフライン測定装置１１・・・１ｉの各出力計測信号を入力する切替器１２２、測定装置識別コード１０２、データ変換部１０３、および二次元バーコード表示部１０４を有している。
なお、図８では、各オフライン測定装置１１・・・１ｉ側の具体的構成の他の事例を示してあり、二次元バーコード表示部１０４の測定表示を読み取る前述のカメラ付き携帯電話７、およびカメラ付き携帯電話７のカメラで読み取った測定情報を保存するサーバ４は、何れも図示省略してある。
【００５５】
次に図８に示す事例の動作について説明する。
前記オフライン測定装置１１・・・１ｉは測定対象の温度、圧力、放射線等を計測し、その出力測定値信号を前記測定値表示装置８に送る。各オフライン測定装置１１・・・１ｉから出力測定信号が送られてくる測定値表示装置８では、前記切替器１２２がオフライン測定装置１１・・・１ｉから出力されてきた測定信号を手動または自動で切り替えてデータ変換部１０３に送る。データ変換部１０３は、切替器１２２で選択された各測定器個別の識別コードを付加した情報を二次元バーコード表示部１０４に表示する。この二次元バーコード表示部１０４に表示される二次元バーコードはその測定値の変化を反映し、定期的に更新する。
なお、二次元バーコード表示部１０４に表示されている測定結果表示は、前述のこの発明の実施の形態１〜３と同様に、カメラ付き携帯電話７（図８では図示省略）のカメラで読み取られ、読み取られた測定情報は、サーバ４（図８では図示省略）に保存され、必要に応じた表示が行われる。
【００５６】
この発明の実施形態４では、比較的近傍に設置されるオフライン測定装置同士の２次元バーコード表示部１０４とデータ変換部１０３が共有できるので、計測設備費用を抑制することができる。
【００５７】
前述のように、この発明の実施形態４は、オフライン測定装置１１・・・１ｉの各々を特定する情報およびオフライン測定結果の情報を二次元バーコードに変換して当該変換された二次元バーコードで各オフライン測定装置１１・・・１ｉを特定する情報およびオフライン測定結果の情報を二次元バーコード表示部１０４で表示する複数台のオフライン測定装置１１・・・１ｉ、および前記各オフライン測定装置１１・・・１ｉの前記二次元バーコードでの表示（二次元バーコード表示部１０４の表示）をカメラ付き携帯電話７のカメラ１０５で読み取ったオフライン測定装置１１・・・１ｉを特定する情報およびオフライン測定結果の情報を保存する記憶装置（データ保存部１１４等）を備え、前記記憶装置に保存されたオフライン測定装置１１・・・１ｉを特定する情報およびオフライン測定結果の情報を時刻情報と共に表示手段（表示装置１１６や印刷装置１１７など）に表示する測定表示現場読み取り業務支援システムであり、更に、複数台のオフライン測定装置１１・・・１ｉに共通の測定結果表示装置８を設け、この共通の測定結果表示装置８に、前記複数台の各オフライン測定装置１１・・・１ｉを特定する情報および前記各オフライン測定結果の情報を表示する測定表示現場読み取り業務支援システムとしたので、オフライン測定装置１１・・・１ｉ側での現場作業員による測定関連情報の手入力が軽減され、信頼性の高い測定表示現場読み取り業務を実現することができる具体的な測定表示現場読み取り業務支援システムを実現でき、更に、計測設備費用を抑制することができる。
【００５８】
実施の形態５．
以下、この発明の実施の形態５を図９により説明する。図９は測定表示現場読み取り業務支援方法および業務支援システムの具体的な事例を示すブロック図である。なお、図９において前述の図１〜図８と同一または相当部分には同一符号を付し、以下のこの発明の実施の形態５の説明では、前述のこの発明の実施の形態１〜４と異なる点を主体に説明し、図１〜図８と同一または相当部分についての説明は割愛する。
【００５９】
この発明の実施の形態５は、図９に示すように、二次元バーコード表示部１０４での測定表示を読み取った測定情報を、電波でサーバ４に送り込むことができない場合、通信ケーブルでサーバ４に送り込むことができるように、ＰＤＡ（携帯端末）９を使用する事例である。
【００６０】
図９に示すように、この発明の実施の形態５におけるＰＤＡ（携帯端末）９は、前述のカメラ付き携帯電話７と同様の機能を有するように、カメラ１０５、データ読み取り部１０６、時計１０７、アプリケーション１０８、およびデータ送受信部１２３を有している。  
【００６１】
サーバ４は、前記データ送受信部１２３に通信ケーブル１２４を介して接続されたデータ送受信部１２５、アプリケーション１１３、データ保存部１１４、識別コード−測定器対応表１１５、表示手段の一つである表示装置１１６、および表示手段の一つである印刷装置１１７を有している。
【００６２】
前記データ送受信部１２３は、アプリケーション１０８からの、測定値の情報と測定器識別コードの情報と測定時刻の情報とをサーバ４に送信するためのデータ送受信部である。  前記通信ケーブル１２４は、携帯端末９を事務所（ａ）に持ち帰った際、携帯端末９からサーバ４へ測定結果データを送信するための通信ケーブルである。
前記データ送受信部１２５は、サーバ４に取り付けたデータ送受信部で、事務所（ａ）に持ち帰った携帯端末９から通信ケーブル１２４を介してサーバ４に取り込む機能を有している。
【００６３】
次に図９に示す事例の動作を、前記オフライン測定装置１１・・・１ｉの動作（ｄ）、前記携帯端末９の操作（ｅ）、及び前記サーバ４の動作（ｆ）について、順に説明する。
【００６４】
オフライン測定装置１１・・・１ｉの動作（ｄ）．
オフライン測定装置１１・・・１ｉは、測定対象の温度、圧力、放射線等を計測し、その測定値に各測定器個別の識別コードを付加した情報を二次元バーコード表示部１０４に表示する。この二次元バーコードはその測定値の変化を反映し、定期的に更新される。
【００６５】
携帯端末９の操作（ｅ）．
携帯端末９のアプリケーション１０８により、カメラ１０５で２次元バーコード表示部１０４の情報を読み取り、測定値と測定装置の識別コードを携帯端末９に取り込む。更に、携帯端末９の内部時計１０７の時刻情報を付加し、測定値と測定装置１ｉの識別コードと測定時刻の情報を携帯端末９のデータ通信機能を用いて、通信ケーブル１２４を介してサーバ４へ送信する。
【００６６】
サーバ４の動作（ｆ）．
サーバ４のアプリケーション１１３により携帯端末９から受信した測定値、測定器識別コード、測定時刻のデータは、データ保存部１１４に保存される。操作者の操作により、データ保存部１１４の情報を検索し、表示装置１１６に表示する。その際、測定器識別コードで識別コード測定器対応表１１５を参照し、測定装置１ｉに関する情報を付加して表示装置１１６に表示する。
【００６７】
また、同様の情報を所定フォーマットの帳票形式に編集し、印刷装置１１７にも出力する。
【００６８】
この発明の実施形態５では、前述のように、データ伝送媒体として電波を使用しないため、電波の利用が制限されている環境でも本発明を利用できるようになる。
【００６９】
前述のように、この発明の実施形態２は、オフライン測定装置１１・・・１ｉの各々を特定する情報およびオフライン測定結果の情報を二次元バーコードに変換して当該変換された二次元バーコードで各オフライン測定装置１１・・・１ｉを特定する情報およびオフライン測定結果の情報を二次元バーコード表示部１０４で表示する複数台のオフライン測定装置１１・・・１ｉ、および前記各オフライン測定装置１１・・・１ｉの前記二次元バーコードでの表示（二次元バーコード表示部１０４の表示）をカメラ付き携帯電話７のカメラ１０５で読み取ったオフライン測定装置１１・・・１ｉを特定する情報およびオフライン測定結果の情報を保存する記憶装置（データ保存部１１４等）を備え、前記記憶装置に保存されたオフライン測定装置１１・・・１ｉを特定する情報およびオフライン測定結果の情報を時刻情報と共に表示手段（表示装置１１６や印刷装置１１７など）に表示する測定表示現場読み取り業務支援システムにおける前記携帯電話７に代えて携帯端末９が使用され、前記各オフライン測定装置１１・・・１ｉの前記二次元バーコードでの表示をカメラ付き携帯端末９のカメラ１０５で読み取ったオフライン測定装置を特定する情報およびオフライン測定結果の情報を通信ケーブル１２４を介して前記記憶装置（データ保存部１１４等）に保存する測定表示現場読み取り業務支援システムとしたので、オフライン測定装置１１・・・１ｉ側での現場作業員による測定関連情報の手入力が軽減され、信頼性の高い測定表示現場読み取り業務を実現することができる具体的な測定表示現場読み取り業務支援システムを実現でき、更に、電波の利用が制限されている環境でも利用できる具体的な測定表示現場読み取り業務支援システムを実現できる。
【００７０】
実施の形態６．
以下、この発明の実施の形態６を図１０により説明する。図１０は測定表示現場読み取り業務支援方法および業務支援システムの具体的な事例を示すブロック図である。なお、図１０において前述の図１〜図９と同一または相当部分には同一符号を付し、以下のこの発明の実施の形態６の説明では、前述のこの発明の実施の形態１〜５と異なる点を主体に説明し、図１〜図９と同一または相当部分についての説明は割愛する。
【００７１】
この発明の実施の形態６は、図１０に示すように、現場（ａ）側の測定作業者が自己が所持するカメラ付き携帯電話７１を使って、図２等で前述したサーバ４と同機能の携帯電話７２を所持する事務所（ｂ）側の担当者へ、前述のような現場（ａ）側での測定結果の情報を通知できる測定表示現場読み取り業務支援方法および業務支援システムの具体的な事例を示してある。
【００７２】
現場（ａ）側の測定作業者が所持する前記カメラ付き携帯電話７１は、前述の図２，４，６における携帯電話７と同じ機能構成であり、前記カメラ１０５、前記データ読み取り部１０６、前記時計１０７、前記アプリケーション１０８、前記データ送受信部１０９、および前記アンテナ１１０を有している。
事務所（ｂ）側の担当者が所持する前記携帯電話７２は、前述の図２，４，６におけるサーバ４と同じ機能構成であり、前記アンテナ１１１、前記データ送受信部１１２、前記アプリケーション１１３、前記データ保存部１１４、前記識別コード−測定器対応表１１５、表示手段の一つである前記表示装置１１６、および表示手段の一つである前記印刷装置１１７を有している。
【００７３】
次に図１０に示す事例の動作を、前記オフライン測定装置１１・・・１ｉの動作（ｄ）、現場（ａ）側の測定作業者が所持する前記カメラ付き携帯電話７１の操作（ｅ）、および事務所（ｂ）側の担当者が所持する前記携帯電話７２の動作（ｆ）について、順に説明する。
【００７４】
オフライン測定装置１１・・・１ｉの動作（ｄ）．
オフライン測定装置１１・・・１ｉは測定対象の温度、圧力、放射線等を計測し、その測定値に各測定器個別の識別コードを付加した情報を前記二次元バーコード表示部１０４に表示する。この二次元バーコードはその測定値の変化を反映し、定期的に更新される。
【００７５】
現場（ａ）側の測定作業者が所持する前記カメラ付き携帯電話７１の操作（ｅ）．
現場（ａ）側の測定作業者が所持するカメラ付き携帯電話７１の前記アプリケーション１０８により、前記カメラ１０５で前記２次元バーコード表示部１０４の情報を読み取り、測定値と測定装置の識別コードを前記カメラ付き携帯電話７１に取り込む。更に、前記カメラ付き携帯電話７１の前記内部時計１０７の時刻情報を付加し、測定値と測定装置１ｉの識別コードと測定時刻の情報を前記カメラ付き携帯電話７１のデータ通信機能を用いて、事務所（ｂ）側の担当者が所持する前記携帯電話７２へ送信する。
【００７６】
事務所（ｂ）側の担当者が所持する前記携帯電話７２の動作（ｆ）．
事務所（ｂ）側の担当者が所持する前記携帯電話７２のアプリケーション１１３により、現場（ａ）側の測定作業者が所持する前記カメラ付き携帯電話７１から受信した測定値、測定器識別コード、測定時刻のデータは、データ保存部１１４に保存される。事務所（ｂ）側の担当者の操作により、データ保存部１１４の情報を検索し、表示装置１１６に表示する。その際、測定器識別コードで識別コード測定器対応表１１５を参照し、測定装置１ｉに関する情報を付加して表示装置１１６に表示する。
【００７７】
なお、図１０には図２等で例示した前述のサーバ４を図示省略してあるが、前述の図２，４，６と同様に、事務所（ｂ）側には前述のサーバ４が設けられる。
【００７８】
この発明の実施形態６では、事務所（ｂ）に不在の担当者に測定値を緊急に見てもらいたい時、本発明によりその担当者の携帯電話７２へ測定値を送信することにより、その場ですぐに測定値を確認してもらうことが可能となる。
【００７９】
前述のように、この発明の実施形態４は、オフライン測定装置１１・・・１ｉの各々を特定する情報およびオフライン測定結果の情報を二次元バーコードに変換して当該変換された二次元バーコードで各オフライン測定装置１１・・・１ｉを特定する情報およびオフライン測定結果の情報を二次元バーコード表示部１０４で表示する複数台のオフライン測定装置１１・・・１ｉ、および前記各オフライン測定装置１１・・・１ｉの前記二次元バーコードでの表示（二次元バーコード表示部１０４の表示）をカメラ付き携帯電話７のカメラ１０５で読み取ったオフライン測定装置１１・・・１ｉを特定する情報およびオフライン測定結果の情報を保存する記憶装置を備え、前記記憶装置に保存されたオフライン測定装置１１・・・１ｉを特定する情報およびオフライン測定結果の情報を時刻情報と共に表示手段（表示装置１１６や印刷装置１１７など）に表示する測定表示現場読み取り業務支援システムにおける前記記憶装置が、前記カメラ付き携帯電話のカメラで読み取ったオフライン測定装置を特定する情報およびオフライン測定結果の情報を受ける側の携帯電話の記憶装置であり、前記オフライン測定装置を特定する情報およびオフライン測定結果の情報を受ける側の携帯電話の記憶装置に保存された情報が、当該情報を受ける側の携帯電話の表示装置に表示される測定表示現場読み取り業務支援システムとしたので、オフライン測定装置１１・・・１ｉ側での現場作業員による測定関連情報の手入力が軽減され、信頼性の高い測定表示現場読み取り業務を実現することができる具体的な測定表示現場読み取り業務支援システムを実現でき、更に、事務所（ｂ）に不在の担当者に測定値を緊急に見てもらいたい時、本発明によりその担当者の携帯電話７２へ測定値を送信することにより、その場ですぐに測定値を確認してもらうことが可能となる。
【図面の簡単な説明】
【００８０】
【図１】この発明の実施の形態１を示す図で、測定表示現場読み取り業務支援方法および業務支援システムの一例を概略的に示す概略図である。
【図２】この発明の実施の形態１を示す図で、測定表示現場読み取り業務支援方法および業務支援システムの具体的な事例を示すブロック図である。
【図３】この発明の実施の形態１を示す図で、図２に例示の測定表示現場読み取り業務支援方法および業務支援システムの動作をフローチャートで説明する動作説明図である。
【図４】この発明の実施の形態２を示す図で、測定表示現場読み取り業務支援方法および業務支援システムの他の具体的な事例を示すブロック図である。
【図５】この発明の実施の形態２を示す図で、図４に例示の測定表示現場読み取り業務支援方法および業務支援システムの動作をフローチャートで説明する動作説明図である。
【図６】この発明の実施の形態３を示す図で、測定表示現場読み取り業務支援方法および業務支援システムの他の具体的な事例を示すブロック図である。
【図７】この発明の実施の形態１を示す図で、図６に例示の測定表示現場読み取り業務支援方法および業務支援システムの動作をフローチャートで説明する動作説明図である。
【図８】この発明の実施の形態４を示す図で、測定表示現場読み取り業務支援方法および業務支援システムの他の具体的な事例を特にオフライン測定装置側について示すブロック図である。
【図９】この発明の実施の形態５を示す図で、測定表示現場読み取り業務支援方法および業務支援システムの他の具体的な事例を示すブロック図である。
【図１０】この発明の実施の形態６を示す図で、測定表示現場読み取り業務支援方法および業務支援システムの他の具体的な事例を示すブロック図である。
【図１１】従来の測定表示現場読み取り業務支援方法および業務支援システムの一例を概略的に示す概略図である。
【符号の説明】
【００８１】
１１・・・１ｉ    オフライン測定装置、
１０１，１０１１・・・１０１ｉ    測定器、
１０２    測定装置識別コード、
１０３    データ変換部、
１０４    二次元バーコード表示部、
１０５    カメラ、
１０６    データ読み取り部、
１０７    時計、
１０８    アプリケーション、
１０９    データ送受信部、
１１０    アンテナ、
１１１    アンテナ、
１１２    データ送受信部、
１１３    アプリケーション、
１１４    データ保存部（記憶装置）、
１１５    識別コード−測定器対応表、
１１６    表示装置（表示手段）、
１１７    印刷装置（表示手段）、
１１８    電話番号、
１１９    電話番号作業員名対応表、
１２０    読取順序テーブル、
１２１    データ表示部、
１２２    切替器、
１２３    データ送受信部、
１２４    通信ケーブル、
１２５    データ送受信部、
２    作業員、
４    サーバ、
５    記憶装置、
６    報告書、
７，７１    現場(ａ)側作業員所持のカメラ付き携帯電話、
７２    事務所（ｂ）側担当者所持の携帯電話、
８    測定結果表示装置、
９    ＰＤＡ（携帯端末）。
【図１】
0004440860.tif 000002
【図２】
0004440860.tif 000003
【図３】
0004440860.tif 000004
【図４】
0004440860.tif 000005
【図５】
0004440860.tif 000006
【図６】
0004440860.tif 000007
【図７】
0004440860.tif 000008
【図８】
0004440860.tif 000009
【図９】
0004440860.tif 000010
【図１０】
0004440860.tif 000011
【図１１】
0004440860.tif 000012